(57)【特許請求の範囲】
【請求項１】
建築物の上階に位置し左右に隣接された外壁パネル間に生じる縦目地と、その上階の外壁パネルの下端部と下階に同じく左右に隣接された外壁パネルの上端部との間に生じる横目地とを塞ぐ外壁パネルのシール構造において、
上階の外壁パネルを構成する外板の裏側に取付けられたフレーム部の一部を外板の下端部側に突出形成し、かつ、
下地鋼板を、前記縦目地と横目地との交差部に、その上端部を前記フレーム部の突出部に位置させ、下端部を下階の外壁パネルの表側上部に位置させるように設置し、
縦長の防水シートを、上階の外壁パネルの縦目地下部に沿う位置に、その下端部を下階の外壁パネルの上端部よりも上側の位置で垂下させるように設け、縦目地側の側端部を縦目地から外側に突出させるようにした状態で設け、その側端部を縦目地をはさんで隣接する外壁パネルに同様に設けられた縦長の防水シートの側端部と結合し両者を縦目地内に埋め込み、定型ガスケットを嵌入させるとともに、
横長の第１防水シートを、上階の外壁パネル下端部の横目地に、その側端部を前記縦長の防水シートの縦目地側の側端部とは逆側の側端部の表面に貼着させ、上端部を上階の外壁パネルの外板とフレーム部との間に挟着させ、下端部を下階の外壁パネルの上端部よりも上側の位置で垂下させるように設け、
横長の第２防水シートを、交差部では前記下地鋼板表面に貼着されしかも横目地全体を覆うように、その上端部をフレーム部の突出部に貼着させ、下端部を下階の外壁パネルの表側上部を被覆貼着するように設け、しかも前記第１防水シートの下端部の裏面は横長の第２防水シートの略中央部表面に貼着させるようにしたものであって、
前記交差部においては、結合された縦長の防水シートの下端部が下地鋼板上で横長の第２防水シート表面に貼着されてなることを特徴とする外壁パネルのシール構造。
【請求項２】
前記下地鋼板の交差部に位置する部位には、上側から中央部にかけて、上階の外壁パネル間の縦目地の目地巾よりも巾広の切り欠き部が形成されていて、前記結合され縦目地に埋め込まれた縦長の防水シートの下端部は縦目地内方からその切り欠き部を介して下地鋼板上で横長の第２防水シート表面に貼着されてなることを特徴とする請求項１に記載の外壁パネルのシール構造。
【請求項３】
建築物の上階に位置し左右に隣接された外壁パネル間に生じる縦目地と、その上階の外壁パネルの下端部と下階に同じく左右に隣接された外壁パネルの上端部との間に生じる横目地とを塞ぐ外壁パネルのシール方法において、
外壁パネルを建物ユニットの外側面に固定する前の前処理段階では、上階の外壁パネルを構成する外板の裏側に取付けられたフレーム部の一部を外板の下端部側に突出形成し、かつ、縦長の防水シートを、上階の外壁パネルの縦目地下部に沿う位置に、その下端部を下階の外壁パネルの上端部よりも上側の位置で垂下させるように設け、縦目地側の側端部を縦目地から外側に突出させるようにした状態で設けて上階の外壁パネルに仮止めし、横長の第１防水シートを、上階の外壁パネル下端部の横目地に、その側端部を前記縦長の防水シートの縦目地側の側端部とは逆側の側端部の表面に貼着させ、上端部を上階の外壁パネルの外板とフレーム部との間に挟着させ、下端部を下階の外壁パネルの上端部よりも上側の位置で垂下させるように設け、
施工段階では、前記上階及び下階の外壁パネルを建物ユニットの外側面に固定し、前記縦目地と横目地との交差部に下地鋼板を、その上端部を前記フレーム部の突出部に位置させ、下端部を下階の外壁パネルの表側上部に位置させるように設置し、横長の第２防水シートを、交差部では前記下地鋼板表面に貼着されしかも横目地全体を覆うように、その上端部をフレーム部の突出部に貼着させ、下端部を下階の外壁パネルの表側上部を被覆貼着するように設け、前記第１防水シートの下端部の裏面は横長の第２防水シートの略中央部表面に貼着させ、前記縦長の防水シートの前記仮止めを外した後、側端部を縦目地をはさんで隣接する上階の外壁パネルに同様に設けられた縦長の防水シートの側端部と相互に結合し両者を縦目地内に埋め込み、定型ガスケットを嵌入させるとともに、結合された縦長の防水シートの下端部を下地鋼板上で横長の第２防水シート表面に貼着することを特徴とする外壁パネルのシール方法。
【請求項４】
前記下地鋼板の交差部に位置する部位には、上側から中央部にかけて、上階の外壁パネル間の縦目地の目地巾よりも巾広の切り欠き部が形成されていて、結合され縦目地に埋め込まれた縦長の防水シートの下端部は縦目地内方からその切り欠き部を介して下地鋼板上で横長の第２防水シート表面に貼着されることを特徴とする請求項３に記載の外壁パネルのシール方法。
【発明の詳細な説明】
【０００１】
【発明の属する技術分野】
本発明は、建築物の上階に位置し左右に隣接された外壁パネル間に生じる縦目地と、その上階の外壁パネルの下端部と下階に同じく左右に隣接された外壁パネルの上端部との間に生じる横目地とを塞ぐ外壁パネルのシール構造及び外壁パネルのシール方法に関する。
【０００２】
【従来の技術】
上階の左右（水平）方向に隣接する外壁パネル間に生じる目地部（縦目地）を塞ぐとともに、その上階の外壁パネルの下端部と下階に同じく左右に隣接された外壁パネルの上端部との間に生じる隙間（横目地）とを塞ぐことで水密性を確保することのできるシール構造の従来例として、特公平３−７００５７号公報や特公平６−１５７８７号公報に記載されたものが開示されている。
【０００３】
これらは、図１０乃至図１２に示すように、上階に隣接する外壁パネル１，２に縦目地Ｖに沿って側端部に係合部を備えた縦長の防水シート５，６をそれぞれ設け、両防水シート５，６の側端部同士を相互に係着して縦目地Ｖの内方に納めてその上から定型のガスケット７を嵌入して縦目地Ｖを塞ぐとともに、横長の防水シート８，９の上端部を外壁パネル１，２の下端部に設け横長の防水シート８，９の下端部を下階に隣接する外壁パネル３，４側に垂下させ、外壁パネル３，４の表側上部を被覆させることで横目地Ｈを塞ぐものである。
【０００４】
【発明が解決しようとする課題】
しかしながら、縦目地Ｖを塞ぐ縦長の防水シート５，６の縦方向の長さは縦目地Ｖの長さに沿うものより約３ｍ（外壁パネル５，６の縦方向の長さに概ね相当）であるので、上述したように防水シート５，６の側端部同士を係着して縦目地Ｖ内方に納めることは現場の作業では非常に時間がかかり煩雑である。
また、横目地Ｈを覆う大きな横長の防水シート８，９は、図１０に示すように、粘着テープＴで仮止めされた状態で建物ユニットＵの外側面に固定されるため、搬送中に破れる場合がある。
更に、縦目地Ｖと横目地Ｈとの交差部においては、縦長の防水シート５，６と横長の防水シート８，９との圧着が不十分となりシール性が劣る場合がある。
【０００５】
そこで本発明の目的は、特にシール機能を低下させることなく、搬送中の破れの心配をなくしかつ現場で簡単に施工できる外壁パネルのシール構造及び外壁パネルのシール方法を提供することにある。
【０００６】
【課題を解決するための手段】
上記の目的を達成するために、本発明の請求項１に記載の外壁パネルのシール構造は、建築物の上階に位置し左右に隣接された外壁パネル（１１，１２）間に生じる縦目地（Ｖ）と、その上階の外壁パネル（１１，１２）の下端部と下階に同じく左右に隣接された外壁パネル（１３，１４）の上端部との間に生じる横目地（Ｈ）とを塞ぐ外壁パネルのシール構造において、上階の外壁パネル（１１，１２）を構成する外板（Ｐ，Ｐ）の裏側に取付けられたフレーム部（Ｆ，Ｆ）の一部（Ｆａ，Ｆａ）を外板（Ｐ，Ｐ）の下端部側に突出形成し、かつ、下地鋼板（２０）を、縦目地（Ｖ）と横目地（Ｈ）との交差部に、その上端部をフレーム部（Ｆ，Ｆ）の突出部（Ｆａ，Ｆａ）に位置させ、下端部を下階の外壁パネル（１３，１４）の表側上部に位置させるように設置し、縦長の防水シート（２１）を、上階の外壁パネル（１１）の縦目地（Ｖ）下部に沿う位置に、その下端部（２１ｂ）を下階の外壁パネル（１３）の上端部よりも上側の位置で垂下させるように設け、縦目地（Ｖ）側の側端部（２１ｃ）を縦目地（Ｖ）から外側に突出させるようにした状態で設け、その側端部（２１ｃ）を縦目地（Ｖ）をはさんで隣接する外壁パネル（１２）に同様に設けられた縦長の防水シート（２２）の側端部（２２ｃ）と結合し両者（２１ｃ，２２ｃ）を縦目地（Ｖ）内に埋め込み、定型ガスケット（２５，２６）を嵌入させるとともに、横長の第１防水シート（３１，３２）を、上階の外壁パネル（１１，１２）下端部の横目地（Ｈ）に、その側端部（３１ｃ，３２ｃ）を縦長の防水シート（２１，２２）の縦目地（Ｖ）側の側端部（２１ｃ，２２ｃ）とは逆側の側端部（２１ｄ，２２ｄ）の表面に貼着させ、上端部（３１ａ，３２ａ）を上階の外壁パネル（１１，１２）の外板（Ｐ，Ｐ）とフレーム部（Ｆ，Ｆ）との間に挟着させ、下端部（３１ｂ，３２ｂ）を下階の外壁パネル（１３，１４）の上端部よりも上側の位置で垂下させるように設け、横長の第２防水シート（３５）を、交差部では下地鋼板（２０）表面に貼着されしかも横目地（Ｈ）全体を覆うように、その上端部（３５ａ）をフレーム部（Ｆ）の突出部（Ｆａ）に貼着させ、下端部（３５ｂ）を下階の外壁パネル（１３，１４）の表側上部を被覆貼着するように設け、しかも第１防水シート（３１，３２）の下端部（３１ｂ，３２ｂ）の裏面は横長の第２防水シート（３５）の略中央部表面に貼着させるようにしたものであって、交差部においては、結合された縦長の防水シート（２１，２２）の下端部（２１ｂ，２２ｂ）が下地鋼板（２０）上で横長の第２防水シート（３５）表面に貼着されてなることを特徴とするものである。
【０００７】
また請求項２に記載の外壁パネルのシール構造は、請求項１に記載の構成に加えて、下地鋼板（２０）の交差部に位置する部位には、上側から中央部にかけて、上階の外壁パネル（１１，１２）間の縦目地（Ｖ）の目地巾（Ｌ）よりも巾広の切り欠き部（２０ｅ）が形成されていて、結合され縦目地（Ｖ）に埋め込まれた縦長の防水シート（２１，２２）の下端部（２１ｂ，２２ｂ）は縦目地（Ｖ）内方からその切り欠き部（２０ｅ）を介して下地鋼板（２０）上で横長の第２防水シート（３５）表面に貼着されてなることを特徴とするものである。
【０００８】
更に本発明の請求項３に記載の外壁パネルのシール方法は、建築物の上階に位置し左右に隣接された外壁パネル（１１，１２）間に生じる縦目地（Ｖ）と、その上階の外壁パネル（１１，１２）の下端部と下階に同じく左右に隣接された外壁パネル（１３，１４）の上端部との間に生じる横目地（Ｈ）とを塞ぐ外壁パネルのシール方法において、外壁パネル（１１〜１４）を建物ユニットの外側面に固定する前の前処理段階では、上階の外壁パネル（１１，１２）を構成する外板（Ｐ，Ｐ）の裏側に取付けられたフレーム部（Ｆ，Ｆ）の一部（Ｆａ，Ｆａ）を外板（Ｐ，Ｐ）の下端部側に突出形成し、かつ、縦長の防水シート（２１，２２）を、上階の外壁パネル（１１，１２）の縦目地（Ｖ）下部に沿う位置に、その下端部（２１ｂ，２２ｂ）を下階の外壁パネル（１３，１４）の上端部よりも上側の位置で垂下させるように設け、縦目地（Ｖ）側の側端部（２１ｃ，２２ｃ）を縦目地（Ｖ）から外側に突出させるようにした状態で設けて上階の外壁パネル（１１，１２）に仮止めし、横長の第１防水シート（３１，３２）を、上階の外壁パネル（１１，１２）下端部の横目地（Ｈ）に、その側端部（３１ｃ，３２ｃ）を縦長の防水シート（２１，２２）の縦目地（Ｖ）側の側端部（２１ｃ，２２ｃ）とは逆側の側端部（２１ｄ，２２ｄ）の表面に貼着させ、上端部（３１ａ，３２ａ）を上階の外壁パネル（１１，１２）の外板（Ｐ，Ｐ）とフレーム部（Ｆ，Ｆ）との間に挟着させ、下端部（３１ｂ，３２ｂ）を下階の外壁パネル（１３，１４）の上端部よりも上側の位置で垂下させるように設け、施工段階では、上階及び下階の外壁パネル（１１〜１４）を建物ユニットの外側面に固定し、縦目地（Ｖ）と横目地（Ｈ）との交差部に下地鋼板（２０）を、その上端部（２０ａ）をフレーム部（Ｆ，Ｆ）の突出部（Ｆａ，Ｆａ）に位置させ、下端部（２０ｂ）を下階の外壁パネル（１３，１４）の表側上部に位置させるように設置し、横長の第２防水シート（３５）を、交差部では下地鋼板（２０）表面に貼着されしかも横目地（Ｈ）全体を覆うように、その上端部（３５ａ）をフレーム部（Ｆ，Ｆ）の突出部（Ｆａ，Ｆａ）に貼着させ、下端部（３５ｂ）を下階の外壁パネル（１３，１４）の表側上部を被覆貼着するように設け、第１防水シート（３１，３２）の下端部（３１ｂ，３２ｂ）の裏面は横長の第２防水シート（３５）の略中央部表面に貼着させ、縦長の防水シート（２１）の前記仮止めを外した後、側端部（２１ｃ）を縦目地（Ｖ）をはさんで隣接する上階の外壁パネル（１２）に同様に設けられた縦長の防水シート（２２）の側端部（２２ｃ）と相互に結合し両者（２１ｃ，２２ｃ）を縦目地（Ｖ）内に埋め込み、定型ガスケット（２５，２６）を嵌入させるとともに、結合された縦長の防水シート（２１，２２）の下端部（２１ｃ，２２ｃ）を下地鋼板（２０）上で横長の第２防水シート（３５）表面に貼着することを特徴とするものである。
【０００９】
また請求項４に記載の外壁パネルのシール方法は、請求項３に記載の下地鋼板（２０）の交差部に位置する部位には、上側から中央部にかけて、上階の外壁パネル（１１，１２）間の縦目地（Ｖ）の目地巾（Ｌ）よりも巾広の切り欠き部（２０ｅ）が形成されていて、結合され縦目地（Ｖ）に埋め込まれた縦長の防水シート（２１，２２）の下端部（２１ｂ，２２ｂ）は縦目地（Ｖ）内方からその切り欠き部（２０ｅ）を介して下地鋼板（２０）上で横長の第２防水シート（３５）表面に貼着されることを特徴とするものである。
【００１０】
なお、上記の括弧内の記号は図面及び後述する発明の実施の形態に記載された対応要素又は対応事項に対応するものである。
【００１１】
請求項１に記載の発明によれば、横目地を覆う防水シートは、横長の第１防水シートと横長の防水シートとからなるが、横目地全体を覆う程の大きさの横長の第２防水シートの上端部は、第１防水シートのように外壁パネルの外板とフレーム部との間で挟着されるものではなく、外板の下端部側に形成されたフレームの突出部に貼着されるだけであるので、現場での後付けが可能である。したがって、第２防水シートを外壁パネルに取り付けた状態で搬送する必要がないので、搬送途中に横長の第２防水シートが破れたりすることはない。なお、外壁パネルには横長の第１防水シートが取り付けられるがこれは横長の第２防水シートほどサイズが大きくないので搬送時に破れる等の恐れはない。
【００１２】
また、外壁パネルに取り付けられる縦長の防水シートのサイズも外壁パネルの縦目地下部に沿う位置に取り付けられた小サイズのものであるので、側端部を結合し丸めて縦目地に納める作業が従来例で示した外壁パネルの縦の長さと同等の防水シートの場合と比較して非常に簡単に行える。
その上、交差部に設置した下地鋼板によって縦長の防水シートと横長の第２防水シートとの圧着を十分とすることができるので縦目地のシールについては小サイズ型の縦長の防水シートと定型ガスケットの併用によって十分である。
更に縦長の防水シートと横長の第２防水シートとは下地鋼板が台座としてはたらくため十分圧着され優れたシール効果が得られる。
【００１３】
また請求項２及び請求項４に記載の発明によれば、下地鋼板には上階の外壁パネル間の縦目地の目地巾よりも巾広の切り欠き部が形成されていて、縦目地に埋め込まれた縦長の防水シートの下端部は縦目地内方からその切り欠き部を介して下地鋼板上で横長の第２防水シート表面に貼着されるようになっているので、結合された縦長の防水シートの下端部は上階の縦目地内方から横長の第２防水シートの前面に致るまで急激に勾配が変化することなく交差部において無理なく納められる。したがって、下地鋼板によって横長の第２防水シートとの圧着が十分行われ優れたシール機能が発揮される。
【００１４】
更に請求項３に記載の発明によれば、横目地全体を覆う程の大きさの横長の第２防水シートを、外壁パネルを建物ユニットの外側面に固定する前の前処理段階ではなく現場での施工段階において後付けするものであるので、外壁パネルに取り付けた状態で搬送する必要がないので、搬送途中に横長の第２防水シートが破れたりすることはない。なお、外壁パネルには前処理段階で横長の第１防水シートが取り付けられるがこれは横長の第２防水シートほどサイズが大きくないので前処理段階で外壁パネルに取り付けられた状態でも搬送時に破れる等の恐れはない。
【００１５】
しかも、前処理段階で外壁パネルに取り付けられる縦長の防水シートのサイズも外壁パネルの縦目地下部に沿う位置に取り付けられた小サイズのものであるので、側端部を結合し丸めて縦目地に納める作業が従来例で示した外壁パネルの縦の長さと同等の防水シートの場合と比較して非常に簡単に行える。
その上、交差部に設置した下地鋼板によって縦長の防水シートと横長の第２防水シートとの圧着を十分とすることができるので縦目地のシールについては小サイズ型の縦長の防水シートと定型ガスケットの併用によって十分である。
更に縦長の防水シートと横長の第２防水シートとは下地鋼板が台座としてはたらくため十分圧着され優れたシール効果が得られる。
【００１６】
【発明の実施の形態】
図１乃至図９を参照して、本発明の実施形態に係る外壁パネルのシール構造について説明する。なお、図１，図２は本発明の実施形態に係る外壁パネルのシール構造の施工前の状態を示し、図３，図４，図５は本発明の実施形態に係る外壁パネルのシール構造の防水シートの施工後の納まり状態を示す。
【００１７】
本実施形態に係る外壁パネルのシール構造は、建築物の上階に位置し左右に隣接された外壁パネル１１，１２間に生じる縦目地Ｖと、その上階の外壁パネル１１，１２の下端部と下階に同じく左右に隣接された外壁パネル１３，１４の上端部との間に生じる横目地Ｈとを塞ぐ構造で、上階の外壁パネル１１，１２を構成する外板Ｐ，Ｐの裏側に取付けられたフレーム部Ｆ，Ｆの一部Ｆａ，Ｆａを外板Ｐ，Ｐの下端部側に突出形成したものであって、しかも、縦目地Ｖと横目地Ｈとの交差部に設置される下地鋼板２０と、縦目地Ｖに設けられる縦長の防水シート２１，２２，定型ガスケット２５，２６と、横目地Ｈに設けられる横長の第１防水シート３１，３２、横長の第２防水シート３５とを備えている。
【００１８】
下地鋼板２０は、図６に示すように、縦断面形状が略Ｚ字形に上端部２０ａと下端部２０ｂとが互いに逆向きに折れ曲がっていて、縦目地と横目地との交差部に設置され易いように上端部２０ａがフレーム部Ｆ，Ｆの突出部Ｆａ，Ｆａに、そして下端部２０ｂが下階の外壁パネル１３，１４の表側上部に位置するようになっている。
また、下地鋼板２０の交差部に位置する中央の部位には、図７に示すように、上側から中央部にかけて、上階の外壁パネル１１，１２間の縦目地Ｖの目地巾Ｌよりも巾広の切り欠き部２０ｅが形成されている。
【００１９】
縦長の防水シート２１，２２は、上階の外壁パネル１１，１２の縦目地Ｖの下部位置にそれぞれ設けられるもので、縦の長さが約１０〜２０ｃｍ程度のものである。そして、縦長の防水シート２１は、その下端部２１ｂを下階の外壁パネル１３の上端部よりも上側の位置で垂下させるように設けられ、縦目地Ｖ側の側端部２１ｃを縦目地Ｖから外側に突出させるようにした状態で設けられ、その側端部２１ｃを縦目地Ｖをはさんで隣接する外壁パネル１２に同様に設けられた縦長の防水シート２２の側端部２２ｃと結合し両者２１ｃ，２２ｃを丸めて縦目地Ｖ内に埋め込まれるようになっている。
【００２０】
定型ガスケット２５，２６は、ＥＰＤＭゴムなどからなるものであり、結合された縦長の防水シート２１，２２が埋め込まれた縦目地Ｖに定型ガスケット２５，定型ガスケット２６の順に２重に嵌入される。
【００２１】
横長の第１防水シート３１，３２は、後述する横長の第２防水シート３５よりも先付けされる防水シートであり、その側端部３１ｃ，３２ｃを縦長の防水シート２１，２２の縦目地Ｖ側の側端部２１ｃ，２２ｃとは逆側の側端部２１ｄ，２２ｄの表面に貼着させ、上端部３１ａ，３２ａを上階の外壁パネル１１，１２の外板Ｐ，Ｐとフレーム部Ｆ，Ｆとの間に挟着させ、下端部３１ｂ，３２ｂを下階の外壁パネル１３，１４の上端部よりも上側の位置で垂下させるように設けられるものである。
【００２２】
また横長の第２防水シート３５は、後付けの防水シートであり、交差部では下地鋼板２０表面に貼着された状態で横目地Ｈ全体を覆うもので、その上端部３５ａをフレーム部Ｆの突出部Ｆａに貼着させ、下端部３５ｂを下階の外壁パネル１３，１４の表側上部を被覆貼着するように設けられるものである。しかも横長の第１防水シート３１，３２の下端部３１ｂ，３２ｂの裏面は横長の第２防水シート３５の略中央部表面に貼着されるようになっている。
【００２３】
次に、以上のように構成される外壁パネルのシール構造によって、隣接する外壁パネル間の縦目地Ｖ及び横目地Ｈを塞ぐシール方法について説明する。
外壁パネルを建物ユニットの外側面に固定する前の前処理段階、すなわち、現場で行われる施工作業の前準備では、以下に示す処理が行われた後、外壁パネルが現場に搬送される。
【００２４】
（１）上階の外壁パネル１１，１２を構成する外板Ｐ，Ｐの裏側に取付けられたフレーム部Ｆ，Ｆの一部Ｆａ，Ｆａを、図２に示すように、外板Ｐ，Ｐの下端部側に突出形成させる。
（２）次に縦長の防水シート２１，２２を、上階の外壁パネル１１，１２の縦目地Ｖ下部に沿う位置に外壁パネル１１，１２の外板Ｐ，Ｐとフレーム部Ｆ，Ｆとの間に挟着させ、その下端部２１ｂ，２２ｂを下階の外壁パネル１３，１４の上端部よりも上側の位置で垂下させるように設け、縦目地Ｖ側の側端部２１ｃ，２２ｃを縦目地Ｖから外側に突出させるようにした状態で設けて上階の外壁パネル１１，１２に、図１に示すように、粘着テープＴで仮止めする。
（３）そして横長の第１防水シート３１，３２を、図１及び図２に示すように、上階の外壁パネル１１，１２下端部の横目地Ｈに、その側端部３１ｃ，３２ｃを縦長の防水シート２１，２２の縦目地Ｖ側の側端部２１ｃ，２２ｃとは逆側の側端部２１ｄ，２２ｄの表面に貼着させ、上端部３１ａ，３２ａを上階の外壁パネル１１，１２の外板Ｐ，Ｐとフレーム部Ｆ，Ｆとの間に挟着させ、下端部３１ｂ，３２ｂを下階の外壁パネル１３，１４の上端部よりも上側の位置で垂下させるように設ける。
【００２５】
次に現場での施工段階における処理について説明する。
【００２６】
（４）外壁パネルが現場に搬送されると、上階及び下階の外壁パネル１１〜１４が建物ユニットの外側面に固定される。建物ユニットの外側面は図示を省略したが、図３においては外壁パネルの裏側、つまりフレーム部Ｆが取り付けられている側となる。
（５）次に縦目地Ｖと横目地Ｈとの交差部に下地鋼板２０を、図８に示すように、その上端部２０ａ，２０ａをフレーム部Ｆ，Ｆの突出部Ｆａ，Ｆａに位置させ、下端部２０ｂを下階の外壁パネル１３，１４の表側上部に位置させるように設置する。
【００２７】
（６）次に横長の第２防水シート３５を、交差部では下地鋼板２０表面に貼着されしかも横目地Ｈ全体を覆うように、その上端部３５ａをフレーム部Ｆの突出部Ｆａに貼着させ、下端部３５ｂを下階の外壁パネル１３，１４の表側上部を被覆貼着するように設け、図４及び図９に示すように、第１防水シート３１，３２の下端部３１ｂ，３２ｂの裏面は横長の第２防水シート３５の略中央部表面に貼着させる。
（７）次に仮止めした縦長の防水シート２１，２２の粘着テープＴを外した後、縦長の防水シート２１の側端部２１ｃを縦目地Ｖをはさんで隣接する上階の外壁パネル１２に同様に設けられた縦長の防水シート２２の側端部２２ｃと相互に結合し両者２１ｃ，２２ｃを縦目地Ｖ内に埋め込む。
【００２８】
（８）次に定型ガスケット２５，２６を順に縦目地Ｖ内に嵌入させる。先に嵌入される定型ガスケット２５は、図３に示すように、縦長の防水シート２１，２２に対して要求される水密性能に見合った重なり代Ｓ（約６０〜１００ｍｍ）をとるものである。
（９）そして結合された縦長の防水シート２１，２２の下端部２１ｂ，２２ｂを縦目地Ｖの内方から下地鋼板２０に形成された切り欠き部２０ｅを介して下地鋼板２０上で横長の第２防水シート３５表面に貼着させる。このときの縦長の防水シート２１，２２と横長の第２防水シート３５との圧着は台座として下地鋼板３２０があるため十分としたものとなっている。なお、下地鋼板２０に形成された切り欠き部２０ｅは、結合された縦長の防水シート２１，２２の下端部２１ｂ，２２ｂを上階の縦目地Ｖの内方から横長の第２防水シート３５の前面に変化させ納めるために逃がしとなっているので、交差部において縦長の防水シート２１，２２が無理なく納められ、下地鋼板２０によって横長の第２防水シート３５との圧着も十分できる。
以上により施工が完了する。
【００２９】
これによれば、横目地Ｈ全体を覆う程の大きさの横長の第２防水シート３５を、後付けすることができる、すなわち現場で取り付けることができ、外壁パネルに取り付けた状態で搬送する必要がないので、搬送途中に横長の第２防水シート３５が破れたりすることはない。なお、外壁パネル１１，１２に前処理段階で取り付けられた横長の第１防水シート３１，３２は横長の第２防水シート３５ほどサイズが大きくないので前処理段階で外壁パネル１１，１２に取り付けられた状態でも搬送時に破れる等の恐れはない。
しかも、縦長の防水シート２１，２２のサイズも外壁パネル１１，１２の下端部に取り付けられた小サイズのものであるので、側端部２１ｃ，２２ｃを結合し丸めて縦目地Ｖに納める作業が非常に簡単に行える。
その上、交差部に設置した下地鋼板２０によって縦長の防水シート２１，２２と横長の第２防水シート３５との圧着を十分とすることができるので縦目地Ｖのシールについては小サイズ型の縦長の防水シート２１，２２と定型ガスケット２５，２６の併用によって十分である。
【００３０】
【発明の効果】
以上のとおり請求項１に記載の発明によれば、横目地全体を覆う程の大きさの横長の第２防水シートの上端部は、外板の下端部側に形成されたフレームの突出部に貼着されるだけであるので、現場での後付けが可能である。したがって、第２防水シートを外壁パネルに取り付けた状態で搬送する必要がないので、搬送途中に横長の第２防水シートが破れたりすることはない。
また、外壁パネルに取り付けられる縦長の防水シートのサイズも外壁パネルの縦目地下部に沿う位置に取り付けられた小サイズのものであるので、側端部を結合し丸めて縦目地に納める作業が従来例で示した外壁パネルの縦の長さと同等の防水シートの場合と比較して非常に簡単に行える。
その上、交差部に設置した下地鋼板によって縦長の防水シートと横長の第２防水シートとの圧着を十分とすることができるので縦目地のシールについては小サイズ型の縦長の防水シートと定型ガスケットの併用によって十分である。
更に縦長の防水シートと横長の第２防水シートとは下地鋼板が台座としてはたらくため十分圧着され優れたシール効果が得られる。
【００３１】
また請求項２及び請求項４に記載の発明によれば、下地鋼板には上階の外壁パネル間の縦目地の目地巾よりも巾広の切り欠き部が形成されていて、縦目地に埋め込まれた縦長の防水シートの下端部は縦目地内方からその切り欠き部を介して下地鋼板上で横長の第２防水シート表面に貼着されるようになっているので、結合された縦長の防水シートの下端部は上階の縦目地内方から横長の第２防水シートの前面に致るまで急激に勾配が変化することなく交差部において無理なく納められる。したがって、下地鋼板によって横長の第２防水シートとの圧着が十分行われ優れたシール機能が発揮される。
【００３２】
更に請求項３に記載の発明によれば、横目地全体を覆う程の大きさの横長の第２防水シートを、外壁パネルを建物ユニットの外側面に固定する前の前処理段階ではなく現場での施工段階において後付けするものであるので、外壁パネルに取り付けた状態で搬送する必要がないので、搬送途中に横長の第２防水シートが破れたりすることはない。
しかも、前処理段階で外壁パネルに取り付けられる縦長の防水シートのサイズも外壁パネルの縦目地下部に沿う位置に取り付けられた小サイズのものであるので、側端部を結合し丸めて縦目地に納める作業が従来例で示した外壁パネルの縦の長さと同等の防水シートの場合と比較して非常に簡単に行える。
その上、交差部に設置した下地鋼板によって縦長の防水シートと横長の第２防水シートとの圧着を十分とすることができるので縦目地のシールについては小サイズ型の縦長の防水シートと定型ガスケットの併用によって十分である。
更に縦長の防水シートと横長の第２防水シートとは下地鋼板が台座としてはたらくため十分圧着され優れたシール効果が得られる。
【図面の簡単な説明】
【図１】本発明の実施形態に係る外壁パネルのシール構造の施工前の状態を示す斜視図である。
【図２】図１のＢ−Ｂ線断面図である。
【図３】本発明の実施形態に係る外壁パネルのシール構造の防水シートの施工後の納まり状態を示す斜視図である。
【図４】図１のＣ−Ｃ線断面図である。
【図５】本発明の実施形態に係る外壁パネルのシール構造の縦目地と横目地との交差部周りの防水シートの施工後の納まり状態を拡大して示す斜視図である。
【図６】下地鋼板を示す斜視図である。
【図７】図６に示す下地鋼板が縦目地と横目地との交差部に設置された状態を拡大して示す正面図である。
【図８】縦目地と横目地との交差部におけるシール構造の施工の様子を示す断面図である。
【図９】横目地におけるシール構造の施工の様子を示す断面図である。
【図１０】従来例に係る外壁パネルのシール構造の施工前の状態を示す正面図である。
【図１１】図１０のＡ−Ａ線断面図である。
【図１２】従来例に係る外壁パネルのシール構造の防水シートの施工後の納まり状態を示す斜視図である。
【符号の説明】
１，２        上階に隣接する外壁パネル
３，４        下階に隣接する外壁パネル
５，６        縦長の防水シート
７            ガスケット
８，９        横長の防水シート
１１，１２      上階に隣接する外壁パネル
１３，１４      下階に隣接する外壁パネル
２０            下地鋼板
２０ａ          上端部
２０ｂ          下端部
２０ｅ          切り欠き部
２１，２２      縦長の防水シート
２１ｂ，２２ｂ  下端部
２１ｃ，２２ｃ  側端部
２１ｄ，２２ｄ  側端部
２５，２６      定型ガスケット
３１，３２      横長の第１防水シート
３１ａ，３２ａ  上端部
３１ｂ，３２ｂ  下端部
３１ｃ，３２ｃ  側端部
３５            横長の第２防水シート
３５ａ          上端部
３５ｂ          下端部
Ｆ            フレーム部
Ｆａ          突出部
Ｌ            目地巾
Ｐ            外板
Ｈ            横目地
Ｖ            縦目地
Ｓ            重なり代
Ｔ            粘着テープ
Ｕ            建物ユニット
【図１】
0003796361.tif 000002
【図２】
0003796361.tif 000003
【図３】
0003796361.tif 000004
【図４】
0003796361.tif 000005
【図５】
0003796361.tif 000006
【図６】
0003796361.tif 000007
【図７】
0003796361.tif 000008
【図８】
0003796361.tif 000009
【図９】
0003796361.tif 000010
【図１０】
0003796361.tif 000011
【図１１】
0003796361.tif 000012
【図１２】
0003796361.tif 000013